(57)【要約】【課題】被写体像と一緒に動作状態の表示を視認する。【解決手段】カメラ１１には、外付けファインダ１２がアクセサリシュー１６に取り付けられる。レンズ鏡筒は、固定筒２４、回転筒２５、及び直進筒２６を有し、これらの内部に撮影レンズ２７が保持される。固定筒２４の円周面には、ピントが合った時に点灯するＡＦ表示部２９、及びフラッシュ撮影を予告する時に点灯するフラッシュ表示部３０が設けられている。回転筒２５は、ピント調節時に回転しながら繰り出される。回転筒２５の円周面には、被写体距離の目盛り３１が表示されている。直進筒２６は、回転筒２５の回転に応じて直進する。直進筒２６の円周面には、目盛り３１の一点を示す指標３２が表示される。外付けファインダ１２の視野には、撮影範囲を示す撮影フレームの像の外に、ＡＦ表示部２９、フラッシュ表示部３０、被写体距離目盛り３１、及び指標３２の像が視認される。【選択図】図１
2014049859.tif 000002
【特許請求の範囲】
【請求項１】
撮影レンズとは異なる光軸を有し、被写体像を虚像、又は透視実像により視認させる光学ファインダを内蔵、又は取り外し可能に設けたカメラにおいて、
該カメラの動作状態を表示する表示部を、前記光学ファインダの視野内に前記被写体像として視認されるように、レンズ鏡筒の一部に設けたことを特徴とするカメラ。
【請求項２】
請求項１に記載のカメラにおいて、
前記表示部は、前記レンズ鏡筒のうちの撮影光軸周りに回転する回転筒、又は撮影光軸方向に直進する直進筒の円周面に設けられ、前記回転筒、又は直進筒の移動に応じてその時点の動作状態を指す目盛りとなっていることを特徴とするカメラ。
【請求項３】
請求項２に記載のカメラにおいて、
前記目盛りは、文字又は数字を含み、
前記文字又は数字は、前記光学ファインダの視野内に視認される像が正規のサイズで読み取ることができるように、撮影光軸方向に長いサイズで表示されていることを特徴とするカメラ。
【請求項４】
請求項１に記載のカメラにおいて、
前記表示部は、前記レンズ鏡筒のうちの固定筒に設けられ、前記動作状態を電気的に表示するＬＥＤ、又はＬＣＤとなっていることを特徴とするカメラ。
【請求項５】
請求項１から４のいずれか1項に記載のカメラにおいて、
前記光学ファインダは、視野内に表示されるように、撮影範囲を示す撮影フレームを有しており、
前記光学ファインダの全視野のうち、前記表示部の像を視認する範囲を含む動作状態視認範囲は、前記撮影フレームの像が表示される範囲を含む撮影範囲表示範囲の外に視認されることを特徴とするカメラ。
【請求項６】
請求項５に記載のカメラにおいて、
前記動作状態視認範囲は、前記撮影範囲表示範囲に対して像倍率が異なっていることを特徴とするカメラ。
【請求項７】
請求項１から６のいずれか１項に記載のカメラにおいて、
前記光学ファインダは、カメラボディに設けたアクセサリシューに着脱自在に取り付けられる外付けファインダとなっていることを特徴とするカメラ。
【請求項８】
アクセサリシューに着脱自在に取り付けられる外付けファインダと、
動作状態を表示する表示部を、前記外付けファインダの視野内に視認することができるように、レンズ鏡筒の一部に設けたカメラと、
を備えたことを特徴とするカメラシステム。
【請求項９】
請求項８に記載のカメラシステムにおいて、
前記表示部は、前記レンズ鏡筒のうちの撮影光軸周りに回転する回転筒、又は撮影光軸方向に直進する直進筒の円周面に設けられ、前記回転筒、又は直進筒の移動に応じてその時点の動作状態を指す目盛りとなっていることを特徴とするカメラシステム。
【請求項１０】
請求項９に記載のカメラシステムにおいて、
前記目盛りは、文字又は数字を含み、
前記文字又は数字は、前記光学ファインダの視野内に視認される像が正規のサイズで読み取ることができるように、撮影光軸方向に長いサイズで表示されていることを特徴とするカメラシステム。
【請求項１１】
請求項８に記載のカメラシステムにおいて、
前記表示部は、前記レンズ鏡筒のうちの固定筒に設けられ、前記動作状態を電気的に表示するＬＥＤ、又はＬＣＤとなっていることを特徴とするカメラシステム。
【請求項１２】
請求項８から１１のいずれか１項に記載のカメラシステムにおいて、
前記外付けファインダは、光学ファインダとなっていることを特徴とするカメラシステム。
【請求項１３】
請求項８から１２のいずれか１項に記載のカメラシステムにおいて、
前記外付けファインダは、視野内に表示されるように、撮影範囲を示す撮影フレームを有しており、
前記外付けファインダの全視野のうち、前記表示部の像が視認される範囲を含む動作状態視認範囲は、前記撮影フレームの像が表示される範囲を含む撮影範囲表示範囲の外に視認されることを特徴とするカメラシステム。
【請求項１４】
請求項１３に記載のカメラシステムにおいて、
前記動作状態視認範囲は、前記撮影範囲表示範囲に対して像倍率が異なっていることを特徴とするカメラシステム。
【発明の詳細な説明】
【技術分野】
【０００１】
カメラ、及びカメラシステムに関する。
【背景技術】
【０００２】
従来、デジタルカメラは、光学ファインダを内蔵しているものが多い。内蔵の光学ファインダには、インジケーター等の電気的な表示手段が設けられている。表示手段は、ピント調節、焦点距離、絞り値、及びシャッタ速度等、その時点のカメラの動作状態を表示する。
【０００３】
近年、デジタルカメラは、内蔵の光学ファインダを省略し、代わりにＬＣＤ等のモニタをカメラボディの背面に設けて、コストダウンや省スペース化を図っているものが多い。このようなカメラでは、モニタに表示されるスルー画像に重ねて動作状態の表示を行っている。
【０００４】
撮影者は、光学ファインダを覗いて撮影した方が安定した姿勢で撮影を行うことができる。また、光学ファインダでは、モニタでは得られないクリアな像で被写体を確認することができる。さらには、モニタでは見え難くなる炎天下の環境下でもはっきりと被写体像を視認することができる。
【０００５】
このような理由から光学ファインダの人気が高い。そこで、デジタルカメラには、アクセサリシューに着脱自在な外付けファインダを付属品として用意しているものが知られている。しかしながら、外付けファインダを使用すると、モニタに表示される動作状態の表示を読み取ることができない。そこで、動作状態を表示するＬＥＤ表示部をアクセサリシュー近傍に設置したデジタルカメラの表示機構が知られている（特許文献１）。
また、電子ビューファインダ（ＥＶＦ）ユニットを外付けファインダに備えた撮像装置、外部専用装置、及び撮像システムが知られている（特許文献２）
【先行技術文献】
【特許文献】
【０００６】
【特許文献１】特開２００９−２５５５０号公報
【特許文献２】特開２００８−２４４６７６号公報
【発明の概要】
【発明が解決しようとする課題】
【０００７】
特許文献１に記載のデジタルカメラの表示機構では、外付けファインダの視野外でありながら視認可能な位置でＬＥＤ表示部の発光が確認される。この場合、外付けファインダから目を僅かながら離すことになる。このように目を僅かでも離すと、例えば被写体像を追いかけながらの撮影等が行えなくなり、シャッタチャンスを逃すおそれがある。
【０００８】
また、特許文献２に記載の発明では、液晶の表示部や映像信号を受信するためのコネクタ等が必要になり、外付けファインダのコストがアップする。さらに、ボディ側にもコネクタが必要になり、カメラのコストもアップする。
【０００９】
本発明は、上記問題に鑑み、ファインダから目を離さずに動作状態の表示を視認することができるように工夫したカメラ及びカメラシステムをローコストで提供することを目的とする。
【課題を解決するための手段】
【００１０】
本発明を例示するカメラの一態様は、撮影レンズとは異なる光軸を有し、被写体像を虚像、又は透視実像により視認させる光学ファインダを内蔵、又は取り外し可能に設けたカメラにおいて、該カメラの動作状態を表示する表示部を光学ファインダの視野に前記被写体像として視認されるように、レンズ鏡筒の一部に設けたものである。
【発明の効果】
【００１１】
本発明では、外付けファインダの視野内に被写体像として視認されるように、レンズ鏡筒の一部にカメラの動作状態を表示する表示部を設けたから、被写体像と同時に動作状態の表示も視認することができる。
【図面の簡単な説明】
【００１２】
【図１】本発明の一実施形態であるカメラシステムを示す斜視図である。
【図２】図１で説明したカメラシステムを示す平面図である。
【図３】図１で説明したカメラシステムの一部を拡大して示す右側面図である。
【図４】図１で説明した外付けファインダの視野を示す説明図である。
【図５】動作状態の表示部として焦点距離を表示するカメラシステムの例を示す平面図である。
【図６】図５で説明した動作状態の表示部を拡大して示す要部拡大平面図である。
【図７】図５で説明した外付けファインダの視野を示す説明図である。
【図８】ファインダ視野範囲のうち、動作状態表示範囲の倍率を高くした例を示す説明図である。
【図９】鏡筒の円周面を傾斜面にして傾斜面に動作状態を表示する例を示す右側面図である。
【発明を実施するための形態】
【００１３】
本発明の一実施形態であるカメラシステム１０は、図１及び図２に示すように、デジタルカメラ１１と外付けファインダ１２とを含む。外付けファインダ１２は、光学部材１３、鏡筒１４、及び脚部１５を有する。光学部材１３は、鏡筒１４に保持されている。脚部１５は、上部で鏡筒１４を保持しており、下部がデジタルカメラ１１に設けたアクセサリシュー１６に着脱自在に取り付けられる。
【００１４】
光学部材１３は、凹レンズ１７と凸レンズ１８との少なくとも２枚のレンズを含む。なお、光学部材１３としては、例えば凹レンズ１７の接眼側の面をハーフミラー面とするとともに、凸レンズ１８の物体側の面に撮影範囲を示すための撮影フレームを反射パターンとして形成したアルバダファインダとするのが、光学像の見える範囲が撮影範囲よりも広く見えるので好適である。なお、撮影フレームは、パララックスを補正する位置に設けられている。
【００１５】
デジタルカメラ１１は、カメラボディ１１ａの上面に、アクセサリシュー１６、及びシャッタボタン２０等を含む操作部が、また、背面にはスルー画像等を表示するためのモニタ２１がそれぞれ設けられている。カメラボディ１１ａの前面には、ストロボ発光窓２２、及びレンズ鏡筒２３が設けられている。
【００１６】
レンズ鏡筒２３は、固定筒２４、回転筒２５、直進筒２６、及びこれら内部に保持される撮影レンズ２７を含む。固定筒２４は、カメラボディ１１ａの前面から円筒状に一段突出して設けられている。回転筒２５は、ピント調節時に、固定筒２４の内部で撮影光軸２８周りに回転しながら撮影光軸２８方向に移動し、また、直進筒２６は、ピント調節時に、回転筒２５の内部で回転筒２５の回転に応じて撮影光軸２８方向に直進する。
【００１７】
固定筒２４には、円周面の略上位置に、ＡＦ表示部２９とフラッシュ表示部３０とが周方向に並んで設けられている。ＡＦ表示部２９は、被写体にピントが合った時に点灯する。フラッシュ表示部３０は、フラッシュ発光の予告をする時に点灯する。これら表示部２９，３０は、デジタルカメラ１１の動作状態を表示する表示部の一例である。
【００１８】
回転筒２５には、至近距離から無限遠までの被写体距離を示す距離目盛３１が回転方向に沿って表示されている。直進筒２６には、円周面の略上位置に、前記距離目盛の一点を示す指標３２が撮影光軸２８方向に長く表示されている。
【００１９】
アクセサリシュー１６は、平面視において中心が撮影光軸２８上に一致する位置に設けられており、外付けファインダ１２は、アクセサリシュー１６に取り付けた時に、平面視においてファインダ光軸３６が撮影光軸２８に略一致する。なお、略一致に限ることなく、所定範囲であればずれていても問題はない。
【００２０】
ＡＦ表示部２９、及びフラッシュ表示部３０は、ＬＥＤ表示部になっている。ＬＥＤ表示部は、図３に示すように、固定筒２４の上方に設けた透明窓３３の内部に、回路基板３４と回路基板３４に実装されたＬＥＤ３５とが配置されており、上方から視認可能なように透明窓３３を透してＬＥＤ３５が発光する。なお、符号３６ａは撮影範囲を、符号３９は外付けファインダ１２の全視野をそれぞれ示す。撮影範囲３６ａは、一番突出した状態のレンズ鏡筒２３のエッジ上部により遮られない（蹴られない）範囲になっており、全視野３９は、固定筒２４の円周面に設けたＡＦ表示部２９、及びフラッシュ表示部３０が視認される範囲になっている。
【００２１】
指標３２、距離目盛３１、ＡＦ表示部２９、及びフラッシュ表示部３０の像は、図４に示すように、全視野３９内に視認される。なお、符号３８は、撮影範囲を示す撮影フレームの像である。指標３２、距離目盛３１、ＡＦ表示部２９、及びフラッシュ表示部３０の像は、撮影フレーム３８の像の外に視認される。なお、図４に符号３６で示す十字マークは、ファインダ光軸３６が全視野３９の中心に一致することを示すためのもので、全視野３９に視認されるものではない。
【００２２】
なお、デジタルカメラ１１は、不使用状態（電源オフ）の時に、回転筒２５、及び直進筒２６が固定筒２４の内部に各々収納され、使用状態（電源オン）の時には回転筒２５、及び直進筒２６が固定筒２４の内部から外部に各々繰り出される構成としてもよい。
【００２３】
図５に示すデジタルカメラ４０は、ズームレンズ鏡筒４１を有する。ズームレンズ鏡筒４１は、固定筒４２、回転筒４３、及び直進筒４４を含み、ズーム操作部４５の操作に応答して回転筒４３が撮影光軸２８周りに回転しながら撮影光軸２８方向に直進し、また、直進筒４４が回転筒４３の回転に応じて撮影光軸２８方向に直進して、撮影レンズの焦点距離をワイド端とテレ端との間で連続的に可変する。
【００２４】
回転筒４３には、図６に示すように、円周面の略上位置に、焦点距離目盛４６が周方向に並べて表示されている。直進筒４４には、円周面の略上位置に、前記焦点距離目盛４６の一点を示す指標４７が撮影光軸２８方向に長い線で表示されている。
【００２５】
固定筒４２には、円周面の略上位置に、その時点の絞り値を表示する絞り値表示部４８が設けられている。絞り値表示部４８は、例えばＦ２．８〜Ｆ２２の絞り値を表す数字の目盛り４９と、透明窓５０の奥に、各絞り値に対応して設けた複数のＬＥＤ５１とで構成されており、シャッタレリーズの半押し操作に応答して、その時点の絞り値を示す一のＬＥＤ５１が点灯する。なお。複数のＬＥＤ５１の代わりにＬＣＤを使用してもよい。この場合、ＬＣＤに黒丸を表示して絞り値を示すようにすればよい。また、ＬＣＤを用いる場合には、目盛り４９を省略し、代わりに絞り値を表す数字をセグメント表示するように構成してもよい。
【００２６】
外付けファインダ１２の全視野５６には、図７に示すように、指標４７、焦点距離目盛４６、及び絞り値表示部４８が視認される。この例では、デジタルカメラ４０がズームカメラであるので、全視野５６には、撮影レンズの焦点距離に応じて撮影範囲が異なる複数の、例えば３つの撮影フレーム５７〜５９が表示されるように構成されている。撮影者は、全視野５６に視認される焦点距離目盛４６からその時点の焦点距離、例えば「２８ｍｍ」を確認し、確認した焦点距離に応じた撮影フレーム５７に合わせてフレーミングを行えばよい。
【００２７】
このように、動作状態を表示する表示部としては、距離目盛３１、ＡＦ表示部２９、及びフラッシュ表示部３０以外に、焦点距離や絞り値を表示してもよい。また、シャッタ速度を表示してもよい。さらに、現時点の日時の表示や水準器となる表示をしてもよい。
【００２８】
図８に示す例では、外付けファインダ１２の全視野５６のうちの動作状態を表示する表示部が視認される範囲（動作状態視認範囲）５６ｂが、撮影フレームが表示される範囲（撮影範囲表示範囲）５６ａに対して像倍率が異なるように構成してもよい。
【００２９】
例えば、撮影範囲表示範囲５６ａは、ワイド端の撮影範囲をカバーするために像倍率を低く設定している。これに対して、動作状態視認範囲５６ｂは、撮影範囲表示範囲５６ａよりも像倍率を大きくした方が動作状態の表示が見易くなるので望ましい。このように、全視野５６のうちの一部（動作状態視認範囲５６ｂ）の像倍率を他部（撮影範囲表示範囲５６ａ）に対して変えるためには、光学部材１３を構成するレンズの一部、例えば凹レンズ１７を含む対物レンズの接眼側の下面の曲率を上面に対して変えたり、曲率の異なる部分レンズを上下で貼り合わせて一つの対物レンズを作る等で達成することができる。なお、外付けファインダ１２の全視野５６に視認される撮影フレーム５７〜５９を、視野中心に一致するファインダ光軸３６から、例えば上にずらして表示して、動作状態視認範囲５６ｂを広く表示するように構成してもよい。なお、図７及び図８で説明したファインダ光軸３６を表す十字マークは、全視野５６に視認されるものではない。
【００３０】
ところで、動作状態の表示部は、鏡筒等の円周面に表示している。一般的に鏡筒の円周面は、撮影光軸に平行な面になっている。これに対して、撮影者は、外付けファインダを通して斜め上から動作状態の表示を覗くことになる。動作状態の表示が、例えば焦点距離や絞り値等の数字や文字等の表示の場合、円周面を斜め上から覗くため、数字や文字の高さが詰まって見え、非常に読みにくくなる。そこで、動作状態の表示としては、その分撮影光軸方向のサイズを長くして数字や文字等を表示するのが好適である。
【００３１】
また、動作状態を表示する円周面を、斜め上から視認しても数字や文字の高さが詰まって見られないように、傾斜面に形成してもよい。図９に示す例では、固定筒４２の円周面の一部を、被写体側の端がカメラボディ１１ａ側の端に対して高くなるように傾斜面６０で形成している。この傾斜面６０に、例えば絞り値を表す数字の目盛り４９等を表示すれば、読みやすくなる。
【００３２】
上記各実施形態では、撮影レンズの交換が行えないデジタルカメラ１１として説明しているが、本発明ではこれに限らず、レンズ交換が可能なカメラにも適用することができる。この場合、カメラの動作状態を表示する表示部をカメラボディ１１ａ側、交換レンズ側の一方、又は両方に表示すればよい。
【００３３】
上記各実施形態では、回転筒の場合には外周面の周方向に沿った目盛を設けているが、直進筒の場合には、撮影光軸方向に沿った目盛を設ければよい。また、レンズ鏡筒２３を固定筒２４、回転筒２５、及び直進筒２６との３段筒の構成としているが、３段筒に限らず、２段筒以下で構成されるレンズ鏡筒としてもよいし、４段筒以上で構成されるレンズ鏡筒としてもよい。また、レンズ鏡筒に限らず、カメラボディ１１ａの一部に表示してもよい。また、レンズ鏡筒２３としてはズームレンズに限らず、ステップズームとしてもよい。
【００３４】
上記各実施形態では、外付けファインダ１２をアルバダ式ファインダとして説明しているが、逆ガリレオ型ファインダとしてもよい。また、これらファインダに限らず、撮影レンズとは異なる光軸を有し、被写体像を虚像、又は透視実像により視認させる光学ファインダであってもよい。また、光学ファインダに限らず、素通しファインダとしてもよい。この場合、撮影フレームとしてターゲットマークを設ければよい。
【００３５】
上記各実施形態では、ファインダを取り外し可能なタイプとして説明しているが、カメラボディ１１ａに内蔵される内蔵ファインダとしてもよい。
【００３６】
上記各実施形態では、カメラの動作状態を表示する表示部をレンズ鏡筒２３の略頂上部に設けているが、本発明ではこれに限らず、例えば前記表示部を、ファインダ視野のうちの撮影フレーム外の左側に視認させることができるように、レンズ鏡筒の外周面のうち、カメラボディ１１ａの背面側から視て略右側面に設けてもよい。
上記各実施形態では、少なくともカメラの使用状態の時にカメラボディ１１ａから被写体に向けて突出した状態になるレンズ鏡筒２３に、カメラの動作状態を表示する表示部を設けている。なお、表示部を設けるものとしては、レンズ鏡筒２３に限らず、例えばカメラボディ１１ａから被写体（前方）に向けて突出する突出部であればいずれでもよい。
【００３７】
上記各実施形態では、デジタルカメラ１１として説明しているが、写真フイルム用カメラや、カメラ付き携帯電話、及びスマートフォン等のカメラ付き電子機器等にも本発明を採用することができる。
【００３８】
以上、本発明を好適な実施の形態に基づき具体的に説明したが、本発明は上記のものに限定されるものではなく、その要旨を逸脱しない範囲で種々変更可能であることは言うまでもない。
【符号の説明】
【００３９】
１０  カメラシステム
１１  デジタルカメラ
１２  外付けファインダ
１３  光学部材
２４  固定筒
２５  回転筒
２６  直進筒
【図１】
2014049859.tif 000003
【図２】
2014049859.tif 000004
【図３】
2014049859.tif 000005
【図４】
2014049859.tif 000006
【図５】
2014049859.tif 000007
【図６】
2014049859.tif 000008
【図７】
2014049859.tif 000009
【図８】
2014049859.tif 000010
【図９】
2014049859.tif 000011